(57)【要約】【課題】蓄電量を増大すると共に、環境負荷を低減し、コストをかけることなく簡単なシステム構築で相互に連携しながら蓄積された電力の消費を抑制し、駆動可能な負荷装置を増やすと共に、駆動時間を長くする。【解決手段】蓄電装置は、外部入力端子１１〜１３のいずれか１つと蓄電池４３とを接続可能にする切換スイッチ３１，３２と、外部入力端子１１〜１３及び蓄電池４３のいずれか１つと外部出力端子７１，７２のいずれか１つとを接続可能にする切換スイッチ５１、スイッチ６１，６２，６４，６５と、外部入力端子１１〜１３に入力される電力のうち優先度の高い電力を蓄電池４３に蓄電するように制御し、外部入力端子１１〜１３に入力される電力及び蓄電池４３に蓄電される電力のうち優先度が高い電力を外部出力端子７１，７２に出力するように制御するシステムコントローラ８０と、を備えている。【選択図】図１
2013201816.tif 000002
【特許請求の範囲】
【請求項１】
外部からの電力が入力される１つ以上の外部入力端子と、
電力を蓄電する蓄電池と、
前記外部入力端子のいずれか１つと、前記蓄電池と、を接続可能にする第１の接続手段と、
電力を外部へ出力する１つ以上の外部出力端子と、
前記外部入力端子及び前記蓄電池のいずれか１つと、前記外部出力端子のいずれか１つと、を接続可能にする第２の接続手段と、
蓄電時においては、前記外部入力端子に入力される電力のうち優先度の高い電力を前記蓄電池に蓄電するように前記第１の接続手段を制御し、電力出力時においては、前記外部入力端子に入力される電力及び前記蓄電池に蓄電される電力のうち優先度の高い電力を前記外部出力端子のいずれかに出力するように前記第１及び第２の接続手段を制御する制御手段と、
を備えた蓄電装置。
【請求項２】
前記外部入力端子の少なくとも１つは、前記制御手段と通信可能な他の蓄電装置に接続され、
前記制御手段は、前記他の蓄電装置から前記外部入力端子に入力される電力を含めて前記優先度を設定する
請求項１に記載の蓄電装置。
【請求項３】
前記制御手段は、前記電力出力時においては、前記外部入力端子に入力される電力のうち最も優先度の高い電力を前記外部出力端子に出力しつつ、当該電力の不足分については、他の外部入力端子に入力される電力及び前記蓄電池に蓄電される電力のうち優先度の高い電力を前記外部出力端子に出力するように前記第１及び第２の接続手段を制御する
請求項１又は請求項２に記載の蓄電装置。
【請求項４】
前記制御手段は、前記電力の不足分については、前記蓄電池に蓄電された電力を前記外部出力端子に出力するように前記第２の接続手段を制御し、前記蓄電池に蓄電された電力が不足したときは、前記外部入力端子から入力される他の蓄電装置の外部入力端子に入力される電力又は蓄電電力を前記外部出力端子に出力するように前記第１及び第２の接続手段を制御する
請求項３に記載の蓄電装置。
【請求項５】
前記制御手段は、前記電力の不足分については、前記蓄電池に蓄電された電力と、前記外部入力端子から入力される他の蓄電装置の外部入力端子に入力される電力又は蓄電電力と、を合成して前記外部出力端子に出力するように前記第１及び第２の接続手段を制御する
請求項３に記載の蓄電装置。
【請求項６】
前記制御手段は、前記蓄電池からの交流電力と前記他の蓄電装置の蓄電電力からの交流電力とを合成して出力する場合に、前記蓄電池からの交流電力と同位相の交流電力が前記他の蓄電装置から前記外部入力端子に入力されるように、前記他の蓄電装置に対して同期信号を送信する
請求項５に記載の蓄電装置。
【発明の詳細な説明】
【技術分野】
【０００１】
本発明は、蓄電装置に関する。
【背景技術】
【０００２】
従来、複数の無停電電源装置間で電力を相互利用することができるとともに、漏電を防止することができる電力連携システムが開示されている（特許文献１参照）。
【０００３】
特許文献１の電力連携システムは、通信検査を行うマスター無停電電源装置、マスターでない無停電電源装置、電力配電制御部を備え、通信機、各無停電電源装置にそれぞれ接続された各電気機器（各負荷装置）に対して電力を供給する。なお、各無停電電源装置は、対応づけられた１つの電気機器に対してのみ電力を供給し、他の電気機器には電力を供給しない。
【０００４】
特許文献１の電力連携システムでは、電力障害によって屋外からの電力供給が停止した場合、各無停電電源装置は、自身に接続されている個別電力線へ電力の供給を開始することで、対応づけられた電気機器に電力を供給し、さらに、一般電力線を経由して、通信機にも電力を供給する。
【先行技術文献】
【特許文献】
【０００５】
【特許文献１】特開２０１０−５６０５９号公報
【発明の概要】
【発明が解決しようとする課題】
【０００６】
しかし、特許文献１の電力連携システムでは、蓄電量が枯渇した無停電電源装置があっても、他の無停電電源装置は、枯渇した無停電電源装置に対して電力を供給することができない。このため、消費電力の大きい電気機器があると、当該電気機器に電力を供給する無停電電源装置の蓄電量が枯渇してしまい、その電気機器だけが早く動作不可能になってしまう問題がある。
【０００７】
また、特許文献１の電力連携システムでは、マスターである無停電電源装置、他の無停電電源装置、電力配電制御部について、それぞれ個別の設定作業が必要になり、システム構築が煩雑になる問題もある。
【０００８】
さらに、マスターである無停電電源装置、他の無停電電源装置、電力配電制御部のそれぞれが通信可能になるためには、電力線通信（ＰＬＣ）等の高価な機能が必要であり、コストが高くなる。
【０００９】
本発明は、このような実情を鑑みて提案されたものであり、コストをかけることなく、簡単なシステム構築によって、相互に連携しながら蓄積された電力の消費を抑制して負荷装置に電力を出力できる蓄電装置を提供することを目的とする。
【課題を解決するための手段】
【００１０】
上述した課題を解決するため、本発明に係る蓄電装置は、外部からの電力が入力される１つ以上の外部入力端子と、電力を蓄電する蓄電池と、前記外部入力端子のいずれか１つと、前記蓄電池と、を接続可能にする第１の接続手段と、電力を外部へ出力する１つ以上の外部出力端子と、前記外部入力端子及び前記蓄電池のいずれか１つと、前記外部出力端子のいずれか１つと、を接続可能にする第２の接続手段と、蓄電時においては、前記外部入力端子に入力される電力のうち優先度の高い電力を前記蓄電池に蓄電するように前記第１の接続手段を制御し、電力出力時においては、前記外部入力端子に入力される電力及び前記蓄電池に蓄電される電力のうち優先度の高い電力を前記外部出力端子のいずれかに出力するように前記第１及び第２の接続手段を制御する制御手段と、を備えている。
【発明の効果】
【００１１】
本発明は、相互に連携しながら蓄電量を増大すると共に蓄積された電力の消費を抑制して負荷装置に電力を出力することによって、外部からの電源供給が途絶えた場合でも、負荷装置に長時間電力を出力することができる。
【図面の簡単な説明】
【００１２】
【図１】蓄電装置の構成を示すブロック図である。
【図２】２つの蓄電装置を直列接続した基本接続を示す図である。
【図３】リンク確立動作ルーチンを示すフローチャートである。
【図４】基本接続された蓄電装置の蓄電時における機能的な構成を示すブロック図である。
【図５】基本接続された蓄電装置のシステムコントローラによる蓄電動作ルーチンを示すフローチャートである。
【図６】基本接続された蓄電装置の直流負荷装置への出力時における機能的な構成を示すブロック図である。
【図７】基本接続された蓄電装置のシステムコントローラによる直流負荷装置への出力動作ルーチンを示すフローチャートである。
【図８】基本接続された蓄電装置の交流負荷装置への出力時における機能的な構成を示すブロック図である。
【図９】基本接続された蓄電装置のシステムコントローラによる交流負荷装置への出力動作ルーチンを示すフローチャートである。
【図１０】２台の蓄電装置のループ接続を示す図である。
【図１１】ループ接続された蓄電装置の蓄電時における機能的な構成を示すブロック図である。
【図１２】ループ接続された蓄電装置のシステムコントローラによる蓄電動作ルーチンを示すフローチャートである。
【図１３】ループ接続された蓄電装置の交流負荷装置への出力時における機能的な構成を示すブロック図である。
【図１４】ループ接続された蓄電装置のシステムコントローラによる交流負荷装置への出力動作ルーチンを示すフローチャートである。
【発明を実施するための形態】
【００１３】
以下、本発明の実施の形態について詳細に説明する。
【００１４】
［１．蓄電装置の構成］
図１は、本発明の実施の形態に係る蓄電装置１の構成を示すブロック図である。蓄電装置１は、単独で負荷装置に電力を出力するだけでなく、他の蓄電装置と連携しながら負荷装置に電力を出力することができる。蓄電装置１は、外部から入力される電力及び蓄電池に蓄電される電力において、優先して使用すべき電力（優先度の高い順番の電力）を予め設定しており、できる限りコスト、環境負荷、出力安定性等、ユーザの希望に沿うように蓄電し、又は負荷装置へ電力を出力する。
【００１５】
蓄電装置１は、直流電力がそれぞれ入力される外部入力端子１１，１２と、交流電力が入力される外部入力端子１３と、外部入力端子１１，１２の電圧をそれぞれ検出する電圧検出器２１，２２と、外部入力端子１３の電圧を検出する電圧検出器２３と、外部入力端子１３に入力された電力を交流から直流に変換するＡＣ−ＤＣコンバータ２４と、を備えている。
【００１６】
また、蓄電装置１は、切換スイッチ３１，３２と、所定電圧になるように昇圧又は降圧を行うＤＣ−ＤＣコンバータ４１と、電圧及び電流を検出する電圧電流検出器４２と、電力を蓄電する蓄電池４３と、を備えている。
【００１７】
切換スイッチ３１は、端子ｅ又は端子ｆに切換可能であり、端子ｅ又は端子ｆに入力された電力を出力する。なお、端子ｅは電圧検出器２２を介して外部入力端子１２に接続され、端子ｆはＡＣ−ＤＣコンバータ２４の出力端子に接続されている。
【００１８】
切換スイッチ３２は、端子ａ又は端子ｂに入力された電力を出力する分岐スイッチ３２１と、端子ｃ又は端子ｄに入力された電力を出力する分岐スイッチ３２２と、を有している。なお、端子ａ，ｃは電圧検出器２１を介して外部入力端子１１に接続されており、端子ｂ，ｄは切換スイッチ３１の出力端子に接続されている。
【００１９】
ＤＣ−ＤＣコンバータ４１は、分岐スイッチ３２２から出力された電力に対して、電圧が所定電圧になるように昇圧又は降圧を行い、所定電圧に変換された電力を出力する。電圧電流検出器４２は、ＤＣ−ＤＣコンバータ４１から出力された電力について電圧及び電流を検出すると共に、蓄電池の電圧を検出する。蓄電池４３は、電圧電流検出器４２を介して、ＤＣ−ＤＣコンバータ４１の出力端子に接続されている。このため、蓄電池４３には、所定電圧に変換された電力が蓄電されるようになっている。
【００２０】
さらに、蓄電装置１は、切換スイッチ５１と、電流検出器５２と、スイッチ６１，６２，６４，６５と、ＤＣ−ＡＣインバータ６３と、外部出力端子７１，７２と、を備えている。
【００２１】
切換スイッチ５１は、端子ｇ又は端子ｈに切換可能であり、端子ｇ又は端子ｈに入力された電力を出力する。なお、端子ｇは分岐スイッチ３２１の出力端子に接続され、端子ｈは電圧電流検出器４２を介してＤＣ−ＤＣコンバータ４１に接続されていると共に蓄電池４３にも接続されている。電流検出器５２は、切換スイッチ５１から出力された電力に対して電流を検出する。
【００２２】
スイッチ６１，６２，６４，６５は、オン（導通）又はオフ（非導通）に切換可能である。スイッチ６１，６２の入力端子は、電流検出器５２を介して切換スイッチ５１の出力端子に接続されている。スイッチ６１の出力端子は、外部出力端子７１に接続されている。ＤＣ−ＡＣインバータ６３は、スイッチ６２の出力端子から出力された電力を直流から交流に変換する。
【００２３】
スイッチ６４の入力端子は、ＤＣ−ＡＣインバータ６３の出力端子に接続されている。スイッチ６４の出力端子は、外部出力端子７２に接続されている。スイッチ６５の入力端子は、外部入力端子１３に接続されている。スイッチ６５の出力端子は、外部出力端子７２に接続されている。
【００２４】
また、蓄電装置１は、全体制御を行うシステムコントローラ８０と、ユーザの指示内容が入力されるキー入力部８１と、システムコントローラ８０の制御状態が表示されるディスプレイ８２と、を備えている。
【００２５】
システムコントローラ８０は、電圧検出器２１，２２，２３、電圧電流検出器４２及び電流検出器５２の検出値を常時監視している。システムコントローラ８０は、例えば、電圧検出器２１，２２，２３の電圧値の時間変化を監視することで、外部入力端子１１，１２，１３に入力される電力が所定値以上であるか否かを判定できる。
【００２６】
システムコントローラ８０は、電圧電流検出器４２及び電流検出器５２の電流値を監視することで、蓄電池４３が蓄電状態であるか放電状態であるかを認識し、さらに蓄電池４３に蓄電されている蓄電量が所定値以上であるか否かを判定できる。
【００２７】
また、システムコントローラ８０は、切換スイッチ３１，５１、切換スイッチ３２（分岐スイッチ３２１，３２２）の切換動作を制御し、ＡＣ−ＤＣコンバータ２４、ＤＣ−ＤＣコンバータ４１、ＤＣ−ＡＣインバータ６３のそれぞれの駆動を制御する。また、システムコントローラ８０は、スイッチ６１，６２，６４，６５のオン／オフの切換を制御する。
【００２８】
［２．蓄電装置の基本接続（直列接続）］
図２は、２台の蓄電装置を直列接続した基本接続を示す図である。なお、２台の蓄電装置を区別する場合は、前段（上流）側、後段（下流）側の蓄電装置及びその構成要素にそれぞれ符号Ｘ，Ｙを付加する。例えば、前段側蓄電装置は１Ｘ、その蓄電池は４３Ｘとする。
【００２９】
（２−１．接続関係）
蓄電装置１Ｘの外部入力端子１１Ｘは、太陽電池１０１に接続されている。外部入力端子１３Ｘは、交流１００Ｖの商用電源１０２に接続されている。なお、外部入力端子１２Ｘには何も接続されていない。
【００３０】
蓄電装置１Ｙの外部入力端子１１Ｙは、太陽電池１０３に接続されている。外部入力端子１２Ｙ，１３Ｙは、蓄電装置１Ｘの外部出力端子７１Ｘ，７２Ｘにそれぞれ接続されている。外部出力端子７１Ｙは、直流負荷装置１１１に接続されている。外部出力端子７２Ｙは、交流負荷装置１１２に接続されている。
【００３１】
また、システムコントローラ８０Ｘ，８０Ｙは、通信線を介して互いに接続されている。さらに、システムコントローラ８０Ｘ，８０Ｙは、最もコストのかからない（太陽電池１０１，１０３に基づく）電力の入力を優先入力とし、優先入力の電力がある場合は当該電力を優先して使用し、不足分については他の電力を使用するように、当該蓄電装置の各構成部を制御する。
【００３２】
（２−２．リンクの確立）
つぎに、蓄電装置１Ｘと蓄電装置１Ｙが通信可能になるためのリンク確立動作について説明する。蓄電装置１Ｘのキー入力部８１に所定の操作が行われると、蓄電装置１Ｘと蓄電装置１Ｙのリンクが確立される。これにより、蓄電装置１Ｙは、蓄電装置１Ｘに対して、電力の入力状態、蓄電池の蓄電状態を確認するための問い合わせ、電力の出力要求が可能になる。
【００３３】
図３は、蓄電装置１のシステムコントローラ８０Ｘによるリンク確立動作ルーチンを示すフローチャートである。なお、リンク確立動作ルーチンは、基本接続の場合に限らず、後述するループ接続の場合でも同様に行われる。
ステップＳ１では、システムコントローラ８０Ｘは、リンク確立動作開始を検出するまで待機し、リンク確立動作開始を検出すると、ステップＳ２へ進む。
【００３４】
なお、リンク確立動作開始は、例えば、リンク確立動作開始を指示するためのキー入力部８１の押圧、電力ケーブルの接続時、ネットワーク経由による遠隔操作による指示などが該当する。
【００３５】
ステップＳ２では、システムコントローラ８０Ｘは、当該蓄電装置１を識別するためのＩＤ番号を含むパルス電圧を外部出力端子７１又は７２から出力するように制御して、ステップＳ３に進む。このパルス電圧は、出力電圧をオン／オフしたものであり、予め決められたパルス幅及び間隔の組み合わせによって表現される。蓄電装置１のＩＤ番号は、例えばＩＰアドレスが該当する。
【００３６】
ここでは、システムコントローラ８０は、例えば、外部出力端子７１からパルス電圧を出力する場合、切換スイッチ５１を端子ｈに切り換えた後、スイッチ６１をオン／オフ制御する。システムコントローラ８０は、外部出力端子７２からパルス電圧を出力する場合、切換スイッチ５１を端子ｈに切り換えスイッチ６２をオンにした後、スイッチ６４をオン／オフ制御する。
【００３７】
一方、蓄電装置１Ｙのシステムコントローラ８０Ｙは、蓄電装置１Ｘからのパルス電圧を検出すると、例えば外部入力端子１１に接続された蓄電装置１ＸのＩＤ番号を認識する。そして、システムコントローラ８０Ｙは、通信線を介して、蓄電装置１Ｘのシステムコントローラ８０Ｘに、当該蓄電装置１ＹのＩＤ番号を通知する。
【００３８】
ステップＳ３では、システムコントローラ８０Ｘは、所定時間内に蓄電装置１ＹからＩＤ番号を受信したかを判定し、受信した場合はステップＳ４に進み、受信していない場合はステップＳ５に進む。
【００３９】
ステップＳ４では、システムコントローラ８０Ｘは、外部出力端子７１Ｘ，７２Ｘの接続先である蓄電装置１ＹのＩＤ番号を認識して、内部メモリに書き込み、ステップＳ６へ進む。
ステップＳ５では、システムコントローラ８０Ｘは、外部出力端子の接続先には蓄電装置がない（何も接続されていない）と認識して、ステップＳ６へ進む。
ステップＳ６では、システムコントローラ８０Ｘは、全外部出力端子７１Ｘ，７２Ｘについて接続先の有無を認識したかを判定し、認識していない場合はステップＳ７に進む。
【００４０】
ステップＳ７では、システムコントローラ８０Ｘは、パルス電圧を出力していない外部出力端子からＩＤ番号を含むパルス電圧を出力するように制御して、ステップＳ３へ戻る。そして、システムコントローラ８０Ｘは、全外部出力端子７１Ｘ，７２Ｘの接続先を認識するまでステップＳ３からステップＳ７までの処理を繰り返し実行し、全外部出力端子７１Ｘ，７２Ｘの接続先を認識すると、本ルーチンが終了する。
【００４１】
（２−３．蓄電）
図４は、基本接続された蓄電装置１Ｘ，１Ｙの蓄電時における機能的な構成を示すブロック図である。図４では、図１に示された構成のうち主に機能するブロックのみ示されている。
【００４２】
蓄電装置１Ｘは、太陽電池１０１（優先入力）からの電力が所定値以上である場合はその電力を蓄電し、太陽電池１０１からの電力が所定値以上でない場合は商用電源１０２からの電力を蓄電する。蓄電装置１Ｙは、太陽電池１０３から所定値以上の電力が入力されている場合はその電力を蓄電する。蓄電装置１Ｙは、太陽電池１０３からの電力が所定値以上でない場合においては、蓄電装置１Ｘが非蓄電電力（太陽電池１０１からの電力又は商用電源１０２からの電力）を出力可能な場合に限り、蓄電装置１Ｘからの非蓄電電力を蓄電する。具体的には、蓄電装置１Ｘ，１Ｙのシステムコントローラ８０Ｘ，８０Ｙは、次の制御を行う。
【００４３】
（２−３−１．システムコントローラ８０Ｘの制御：出力要求がない場合）
蓄電装置１Ｘのシステムコントローラ８０Ｘは、蓄電時において蓄電装置１Ｙから出力要求がない場合は、次のように制御する。
【００４４】
システムコントローラ８０Ｘは、優先入力である外部入力端子１１Ｘに所定値以上の電力が入力されているときは、外部入力端子１１Ｘに入力される電力が蓄電池４３Ｘに蓄電されるように制御する。具体的には、システムコントローラ８０Ｘは、分岐スイッチ３２２Ｘを端子ｃに切り換える制御を行う。これにより、太陽電池１０１から外部入力端子１１Ｘに入力された電力は、分岐スイッチ３２２Ｘ、ＤＣ−ＤＣコンバータ４１Ｘを経由して、蓄電池４３Ｘに蓄電される。
【００４５】
システムコントローラ８０Ｘは、外部入力端子１１Ｘに所定値以上の電力が入力されていないときは、外部入力端子１３Ｘに入力される電力が蓄電池４３Ｘに蓄電されるように制御する。具体的には、システムコントローラ８０Ｘは、切換スイッチ３１Ｘを端子ｆに切り換え、分岐スイッチ３２２Ｘを端子ｄに切り換える制御を行う。これにより、商用電源から外部入力端子１３Ｘに入力された電力は、ＡＣ−ＤＣコンバータ２４Ｘ、切換スイッチ３１Ｘ、分岐スイッチ３２２Ｘ、ＤＣ−ＤＣコンバータ４１Ｘを経由して、蓄電池４３Ｘに蓄電される。
【００４６】
（２−３−２．システムコントローラ８０Ｘの制御：非蓄電電力の出力要求がある場合）
蓄電装置１Ｘのシステムコントローラ８０Ｘは、蓄電装置１Ｙから非蓄電電力（優先入力又は商用電源からの電力）の出力要求がある場合は、次のように制御する。
【００４７】
システムコントローラ８０Ｘは、優先入力の電力の出力要求があり蓄電池４３Ｘの蓄電量が所定値以上の場合は、分岐スイッチ３２１Ｘを端子ａに切り換え、切換スイッチ５１Ｘを端子ｇに切り換え、スイッチ６１Ｘをオンにする制御を行う。これにより、太陽電池１０１から外部入力端子１１Ｘに入力された電力は、分岐スイッチ３２１Ｘ、切換スイッチ５１Ｘ、スイッチ６１Ｘ、外部出力端子７１Ｘを経由して、蓄電装置１Ｙへ出力される。
【００４８】
また、システムコントローラ８０Ｘは、商用電源の電力の出力要求があった場合、スイッチ６５Ｘをオンにする制御を行う。これにより、商用電源から外部入力端子１３Ｘに入力された電力は、スイッチ６５Ｘ、外部出力端子７２Ｘを経由して、蓄電装置１Ｙへ出力される。
【００４９】
（２−３−３．システムコントローラ８０Ｙの制御）
蓄電装置１Ｙのシステムコントローラ８０Ｙは、蓄電時においては、次のように制御する。
【００５０】
図５は、基本接続された蓄電装置１Ｙのシステムコントローラ８０Ｙによる蓄電動作ルーチンを示すフローチャートである。
【００５１】
ステップＳ１１では、システムコントローラ８０Ｙは、優先入力である外部入力端子１１Ｙから所定値以上の電力が入力されているかを判定し、所定値以上の電力が入力されている場合はステップＳ１２へ進み、所定値以上の電力が入力されていない場合はステップＳ１３へ進む。
【００５２】
ステップＳ１２では、システムコントローラ８０Ｙは、優先入力である外部入力端子１１Ｙからの電力を蓄電池４３Ｙに蓄電するように制御し、本ルーチンを終了する。ここでは、システムコントローラ８０Ｙは、分岐スイッチ３２２Ｙを端子ｃに切り換える制御を行う。これにより、太陽電池１０１から外部入力端子１１Ｙに入力された電力は、分岐スイッチ３２２Ｙ、ＤＣ−ＤＣコンバータ４１Ｙを経由して、蓄電池４３Ｙに蓄電される。
【００５３】
ステップＳ１３では、システムコントローラ８０Ｙは、蓄電装置１Ｘに対して、通信線を経由して、優先入力の電力を出力可能であるか問い合わせをして、ステップＳ１４へ進む。
【００５４】
一方、蓄電装置１Ｘのシステムコントローラ８０Ｘは、蓄電装置１Ｙからの問い合わせに対して、優先入力である外部入力端子１１Ｘに所定値以上の電力が入力され蓄電池４３Ｘの蓄電量が所定値以上の場合は出力可能である旨を通知し、外部入力端子１１Ｘに所定値以上の電力が入力されていない場合又は蓄電池４３Ｘの蓄電量が所定値以上でない場合は出力可能でない旨を通知する。
【００５５】
ステップＳ１４では、システムコントローラ８０Ｙは、蓄電装置１Ｘから出力可能の通知を受信したかを判定し、受信した場合はステップＳ１５へ進み、受信していない場合はステップＳ１７へ進む。
【００５６】
ステップＳ１５では、システムコントローラ８０Ｙは、蓄電装置１Ｘに対して、優先入力の電力の出力要求を行い、ステップＳ１６へ進む。これに対して、蓄電装置１Ｘのシステムコントローラ８０Ｘは、優先入力である外部入力端子１１Ｘに入力される電力を蓄電装置１Ｙへ出力するように制御する。
【００５７】
ステップＳ１６では、システムコントローラ８０Ｙは、蓄電装置１Ｘの優先入力からの電力が外部入力端子１２Ｙに入力されると、その電力を蓄電池４３Ｙに蓄電するように制御する。具体的には、システムコントローラ８０Ｙは、切換スイッチ３１Ｙを端子ｅに切り換え、分岐スイッチ３２２Ｙを端子ｄに切り換える制御を行う。これにより、蓄電装置１Ｘから外部入力端子１２Ｙに入力された電力は、切換スイッチ３１Ｙ、分岐スイッチ３２２Ｙ、ＤＣ−ＤＣコンバータ４１Ｙを経由して、蓄電池４３Ｙに蓄電される。そして、本ルーチンが終了する。
【００５８】
また、ステップＳ１７では、システムコントローラ８０Ｙは、蓄電装置１Ｘに対して、通信線を経由して、商用電源の電力を出力可能であるか問い合わせをして、ステップＳ１８へ進む。
【００５９】
一方、蓄電装置１Ｘのシステムコントローラ８０Ｘは、蓄電装置１Ｙからの問い合わせに対して、外部入力端子１３Ｘに商用電源の電力が入力されている場合は出力可能である旨を通知し、商用電源の電力が入力されていない場合は出力可能でない旨を通知する。
【００６０】
ステップＳ１８では、システムコントローラ８０Ｙは、蓄電装置１Ｘから出力可能の通知を受信したかを判定し、受信した場合はステップＳ１９へ進み、受信していない場合は本ルーチンを終了する。
【００６１】
ステップＳ１９では、システムコントローラ８０Ｙは、蓄電装置１Ｘの商用電源の電力が外部入力端子１３Ｙに入力されると、その電力を蓄電池４３Ｙに蓄電するように制御する。具体的には、システムコントローラ８０Ｙは、切換スイッチ３１Ｙを端子ｆに切り換え、分岐スイッチ３２２Ｙを端子ｄに切り換える制御を行う。これにより、蓄電装置１Ｘから外部入力端子１３Ｙに入力された電力は、ＡＣ−ＤＣコンバータ２４Ｙ、切換スイッチ３１Ｙ、分岐スイッチ３２２Ｙ、ＤＣ−ＤＣコンバータ４１Ｙを経由して、蓄電池４３Ｙに蓄電される。そして、本ルーチンが終了する。
【００６２】
以上のように、蓄電装置１Ｙは、予め蓄電すべき電力に優先順位をつけ、優先順位の高い電力から順に、具体的には、太陽電池１０３からの電力、蓄電装置１Ｘを経由した太陽電池１０１からの電力、商業電源１０２からの電力の順に、蓄電することができる。これにより、蓄電装置１Ｙは、できる限りコストをかけることなく、かつ、できる限り電力の伝送損失・変換損失を抑制しながら、電力を蓄電することができる。
【００６３】
（２−４．直流負荷装置への出力）
図６は、基本接続された蓄電装置１Ｘ，１Ｙの直流負荷装置への出力時における機能的な構成を示すブロック図である。図６では、図１に示された構成のうち主に機能するブロックのみ示されている。
【００６４】
蓄電装置１Ｙは、外部入力端子１１Ｙから所定値以上の電力が入力されている場合、外部入力端子１１Ｙに入力された電力を直流負荷装置１１１へ出力する。
蓄電装置１Ｙは、外部入力端子１１Ｙに所定値以上の電力が入力されていない場合においては、蓄電装置１Ｘに対して、非蓄電電力を出力可能であるかを問い合わせ、出力可能である場合は、蓄電装置１Ｘからの非蓄電電力を直流負荷装置１１１へ出力し、出力可能でない場合は、蓄電池４３Ｙの電力を直流負荷装置１１１へ出力する。
【００６５】
また、蓄電装置１Ｙは、蓄電池４３Ｙの電力だけでは直流負荷装置１１１を駆動できない場合は、さらに蓄電装置１Ｘから非蓄電電力または蓄電電力を入力し、入力された電力と蓄電池４３Ｙの電力を合成して出力する。具体的には、蓄電装置１Ｘ，１Ｙのシステムコントローラ８０Ｘ，８０Ｙは、次の制御を行う。
【００６６】
（２−４−１．システムコントローラ８０Ｘの制御：非蓄電電力の出力要求がある場合）
蓄電装置１Ｘのシステムコントローラ８０Ｘは、直流負荷装置への出力時において蓄電装置１Ｙから非蓄電電力の出力要求がある場合は、次のように制御する。
【００６７】
システムコントローラ８０Ｘは、優先入力である外部入力端子１１Ｘに所定値以上の電力が入力されているときは、外部入力端子１１Ｘに入力される電力を蓄電装置１Ｙへ出力するように制御する。具体的には、システムコントローラ８０Ｘは、分岐スイッチ３２１Ｘを端子ａに切り換え、切換スイッチ５１Ｘを端子ｇに切り換え、スイッチ６１Ｘをオンにする制御を行う。これにより、太陽電池１０１から外部入力端子１１Ｘに入力された電力は、分岐スイッチ３２１Ｘ、切換スイッチ５１Ｘ、スイッチ６１Ｘ、外部出力端子７１Ｘを経由して、蓄電装置１Ｙへ出力される。
【００６８】
システムコントローラ８０Ｘは、優先入力である外部入力端子１１Ｘに所定値以上の電力が入力されていないときは、外部入力端子１３Ｘに入力される商用電源の電力をそのまま蓄電装置１Ｙへ出力するように制御する。具体的には、システムコントローラ８０Ｘは、スイッチ６５Ｘをオンにする制御を行う。これにより、商用電源から外部入力端子１３Ｘに入力された電力は、スイッチ６５Ｘ、外部出力端子７２Ｘを経由して、蓄電装置１Ｙへ出力される。
【００６９】
（２−４−２．システムコントローラ８０Ｘの制御：蓄電電力の出力要求がある場合）
蓄電装置１Ｘのシステムコントローラ８０Ｘは、直流負荷装置への出力時において蓄電装置１Ｙから蓄電電力の出力要求がある場合は、次のように制御する。
【００７０】
システムコントローラ８０Ｘは、切換スイッチ５１Ｘを端子ｈに切り換え、スイッチ６１をオンにする制御を行う。これにより、蓄電池４３Ｘに蓄電された電力は、切換スイッチ５１Ｘ、スイッチ６１Ｘ、外部出力端子７１Ｘを経由して、蓄電装置１Ｙへ出力される。
【００７１】
（２−４−３．システムコントローラ８０Ｙの制御）
蓄電装置１Ｙのシステムコントローラ８０Ｙは、直流負荷装置への出力時においては、次のように制御する。
【００７２】
図７は、基本接続された蓄電装置１Ｙのシステムコントローラ８０Ｙによる直流負荷装置への出力動作ルーチンを示すフローチャートである。
ステップＳ２１では、システムコントローラ８０Ｙは、優先入力である外部入力端子１１Ｙから所定値以上の電力が入力されているかを判定し、所定値以上の電力が入力されている場合はステップＳ２２へ進み、所定値以上の電力が入力されていない場合はステップＳ２３へ進む。
【００７３】
ステップＳ２２では、システムコントローラ８０Ｙは、優先入力である外部入力端子１１Ｙからの電力を直流負荷装置１１１へ出力するように制御し、本ルーチンを終了する。
（電圧の昇圧又は降圧が不要な場合）
システムコントローラ８０Ｙは、外部入力端子１１Ｙに入力される電圧が直流負荷装置１１１へ出力すべき電圧とほぼ同じと既定されている場合、又は電圧検出器２１により検出された電圧値が直流負荷装置１１１へ出力すべき電圧とほぼ同じ場合、分岐スイッチ３２１Ｙを端子ａに切り換え、切換スイッチ５１Ｙを端子ｇに切り換え、スイッチ６１Ｙをオンにする制御を行う。これにより、太陽電池１０１から外部入力端子１１Ｙに入力された電力は、分岐スイッチ３２１Ｙ、切換スイッチ５１Ｙ、スイッチ６１Ｙ、外部出力端子７１Ｙを経由して、直流負荷装置１１１へ出力される。
【００７４】
（電圧の昇圧又は降圧が必要な場合）
また、システムコントローラ８０Ｙは、外部入力端子１１Ｙに入力される電圧を必ずＤＣ−ＤＣコンバーターを経由させることが既定されている場合、又は電圧検出器２１により検出された電圧値が直流負荷装置１１１へ出力すべき電圧と異なる場合（電圧の昇圧又は降圧が必要な場合）は、分岐スイッチ３２２Ｙを端子ｃに切り換え、切換スイッチ５１Ｙを端子ｈに切り換え、スイッチ６１Ｙをオンにする制御を行う。これにより、外部入力端子１１Ｙに入力された電力は、分岐スイッチ３２２Ｙを経由し、出力すべき電圧になるようにＤＣ−ＤＣコンバータ４１Ｙで電圧の昇圧又は降圧が行われ、切換スイッチ５１Ｙ、スイッチ６１Ｙ、外部出力端子７１Ｙを経由して、直流負荷装置１１１へ出力される。
【００７５】
（太陽電池の電力の有効利用）
ところで、外部入力端子１１Ｙから入力される電力は、太陽電池で発電されたものであり、一時的に又は連続的に直流負荷装置１１１を駆動するのに十分でない場合がある。このような場合、システムコントローラ８０Ｙは、上述した「電圧の昇圧又は降圧が必要な場合」と同様の制御を行うことによって、優先入力（太陽電池）の電力を使用しつつ不足分については蓄電池を使用できる。
すなわち、外部入力端子１１Ｙに入力された電力は、蓄電池４３Ｙの出力部を経由して外部へ出力され、この電力が小さくなった場合は、蓄電池４３に蓄電された電力も合成されて外部へ出力される。このため、コストのかからない不安定な電力であっても、その電力を利用して、安定した電力出力が可能になる。
【００７６】
ステップＳ２３では、システムコントローラ８０Ｙは、蓄電装置１Ｘに対して、通信線を経由して、非蓄電電力（太陽電池又は商用電源からの電圧）を出力可能であるか問い合わせをして、ステップＳ２４へ進む。
これに対して、蓄電装置１Ｘのシステムコントローラ８０Ｘは、蓄電装置１Ｙからの問い合わせに対して、外部入力端子１１Ｘまたは外部入力端子１３Ｘに出力可能な電力が入力されている場合は出力可能である旨を通知し、それらのいずれにも出力可能な電力が入力されていない場合は出力可能でない旨を通知する。
【００７７】
ステップＳ２４では、システムコントローラ８０Ｙは、蓄電装置１Ｘから出力可能の通知を受信したかを判定し、受信した場合はステップＳ２５へ進み、受信していない場合はステップＳ２７へ進む。
【００７８】
ステップＳ２５では、システムコントローラ８０Ｙは、蓄電装置１Ｘに対して、非蓄電電力の出力要求を行い、ステップＳ２６へ進む。
これに対して、蓄電装置１Ｘのシステムコントローラ８０Ｘは、外部入力端子１１Ｘに所定値以上の電力が入力されている場合は、この電力を蓄電装置１Ｙへ出力するように制御する。また、システムコントローラ８０Ｘは、外部入力端子１１Ｘに所定値以上の電力が入力されていない場合は、外部入力端子１３Ｘに入力されている商用電源１０２の電力を蓄電装置１Ｙへ出力するように制御する。
【００７９】
ステップＳ２６では、システムコントローラ８０Ｙは、蓄電装置１Ｘからの非蓄電電力が外部入力端子１２Ｙ又は外部入力端子１３Ｙに入力されると、その電力を直流負荷装置１１１へ出力するように制御する。
【００８０】
（電圧の昇圧又は降圧が不要な場合）
具体的には、システムコントローラ８０Ｙは、外部入力端子１２Ｙに電力が入力された場合であって、外部入力端子１２Ｙに入力される電圧が直流負荷装置１１１へ出力すべき電圧とほぼ同じと既定されているとき、又は電圧検出器２２Ｙの電圧値が直流負荷装置１１１へ出力すべき電圧とほぼ同じときは、切換スイッチ３１Ｙを端子ｅに切り換え、分岐スイッチ３２１Ｙを端子ｂに切り換え、切換スイッチ５１Ｙを端子ｇに切り換え、スイッチ６１Ｙをオンにする制御を行う。これにより、外部入力端子１２Ｙに入力された電力は、切換スイッチ３１Ｙ、分岐スイッチ３２１Ｙ、切換スイッチ５１Ｙ、スイッチ６１Ｙ、外部出力端子７１Ｙを経由して、直流負荷装置１１１に出力される。
【００８１】
（電圧の昇圧又は降圧が必要な場合）
システムコントローラ８０Ｙは、外部入力端子１２Ｙに電力が入力された場合であって、外部入力端子１２Ｙに入力される電圧を必ずＤＣ−ＤＣコンバータを経由させることが既定されているとき、又は電圧検出器２２Ｙの電圧値が直流負荷装置１１１へ出力すべき電圧と同じでない（電圧の昇圧又は降圧が必要な）ときは、切換スイッチ３１Ｙを端子ｅに切り換え、分岐スイッチ３２２Ｙを端子ｄに切り換え、切換スイッチ５１Ｙを端子ｈに切り換え、スイッチ６１Ｙをオンにする制御を行う。これにより、外部入力端子１２Ｙに入力された電力は、切換スイッチ３１Ｙ、分岐スイッチ３２２Ｙを経由して、出力すべき電圧になるようにＤＣ−ＤＣコンバータ４１Ｙで電圧の昇圧又は降圧が行われ、切換スイッチ５１Ｙ、スイッチ６１Ｙ、外部出力端子７１Ｙを経由して、直流負荷装置１１１へ出力される。
【００８２】
また、システムコントローラ８０Ｙは、外部入力端子１３Ｙに電力が入力された場合、切換スイッチ３１Ｙを端子ｆに切り換え、分岐スイッチ３２１Ｙを端子ｂに切り換え、切換スイッチ５１Ｙを端子ｇに切り換え、スイッチ６１Ｙをオンにする制御を行う。これにより、蓄電装置１Ｘから外部入力端子１３Ｙに入力された電力は、ＡＣ−ＤＣコンバータ２４Ｙ、切換スイッチ３１Ｙ、分岐スイッチ３２１Ｙ、切換スイッチ５１Ｙ、スイッチ６１Ｙ、外部出力端子７１Ｙを経由して、直流負荷装置１１１に出力される。そして、本ルーチンが終了する。
【００８３】
また、ステップＳ２７では、システムコントローラ８０Ｙは、蓄電池４３Ｙに蓄電されている蓄電量が所定値以上であるかを判定し、所定値以上であるときはステップＳ２８へ進み、所定値以上でないときはステップＳ２９へ進む。
【００８４】
ステップＳ２８では、システムコントローラ８０Ｙは、蓄電池４３Ｙの電力を直流負荷装置１１１に出力するように制御する。具体的には、システムコントローラ８０Ｙは、切換スイッチ５１Ｙを端子ｈに切り換え、スイッチ６１Ｙをオンにする制御を行う。これにより、蓄電池４３Ｙに蓄電された電力は、切換スイッチ５１Ｙ、スイッチ６１Ｙを経由して、直流負荷装置１１１へ出力される。
【００８５】
ここで、太陽電池１０３から外部入力端子１１に入力される電力は、所定値以上でない（ステップＳ２１で否定判定された）ため、利用されていない。しかし、この電力は、発電コストのかからないエネルギーであるため、できる限り利用したいとの要望もある。そこで、システムコントローラ８０Ｙは、上述した制御に加えて、分岐スイッチ３２２Ｙを端子ｃに切り換えてもよい。これにより、外部入力端子１１Ｙに入力された電力は、分岐スイッチ３２２Ｙ、ＤＣ−ＤＣコンバータ４１Ｙを経由して、蓄電池４３Ｙからの電力と合成されて切換スイッチ５１Ｙに供給される。合成された電力は、スイッチ６１Ｙを経由して、直流負荷装置１１１へ出力される。
【００８６】
また、システムコントローラ８０Ｙは、蓄電池４３Ｙの蓄電量が所定値以上である（ステップＳ２７で肯定判定された）が、さらに、蓄電装置１Ｘに蓄電池４３Ｘの電力の出力要求を行ってもよい。このとき、システムコントローラ８０Ｙは、最初は蓄電池４３Ｙの電力を出力して次に蓄電池４３Ｘの電力に切り換えて直流負荷装置１１１へ出力する制御を行ってもよいし（切換え出力）、２つの蓄電池４３Ｘ，４３Ｙの電力を合成して直流負荷装置１１１へ出力してもよい（合成出力）。
【００８７】
（切換え出力の場合）
システムコントローラ８０Ｙは、上述したステップＳ２８の制御を行った後、さらに、電圧電流検出器４２Ｙ及び電流検出器５２Ｙの各出力を監視して、蓄電池４３Ｙの蓄電量が閾値以下になったかを判定する。システムコントローラ８０Ｙは、蓄電池４３Ｙの蓄電量が閾値以下になると、ステップＳ２９、Ｓ３０を行って蓄電装置Ｘ１が蓄電池４３Ｘの電力を出力可能な場合は、切換スイッチ３１Ｙを端子ｅに切り換え、分岐スイッチ３２２Ｙを端子ｄに切り換える制御を行う。
【００８８】
これにより、蓄電池４３Ｙの蓄電量が低下した場合、蓄電装置１Ｘの蓄電池４３Ｙからの電力が外部入力端子１２Ｙに入力される。入力された電力は、切換スイッチ３１Ｙ、分岐スイッチ３２２Ｙ、ＤＣ−ＤＣコンバータ４１Ｙ、蓄電池４３Ｙの出力部を経由して、切換スイッチ５１Ｙに供給される。そして、スイッチ６１Ｙ、外部入力端子７１Ｙを介して、直流負荷装置１１１へ出力される。この結果、蓄電池４３Ｙの蓄電量の枯渇を防ぎながら、直流負荷装置１１１に対して長時間の電力出力が可能になる。
【００８９】
（合成出力の場合）
システムコントローラ８０Ｙは、後述するステップＳ３２と同様に制御を行う。この結果、２つの蓄電池４３Ｘ，４３Ｙの電力が合成出力されるので、蓄電池４３Ｘ，４３Ｙのそれぞれの負担が少なくなり、長時間の安定した電力出力が可能になる。そして、本ルーチンが終了する。
【００９０】
また、ステップＳ２９では、システムコントローラ８０Ｙは、蓄電装置１Ｘに対して、通信線を経由して、蓄電池４３Ｘの電力を出力可能であるか問い合わせをして、ステップＳ３０へ進む。
これに対して、蓄電装置１Ｘのシステムコントローラ８０Ｘは、蓄電装置１Ｙからの問い合わせに対して、蓄電池４３Ｘに所定値以上の蓄電量が蓄電されている場合は出力可能である旨を通知し、所定値以上の蓄電量が蓄電されていない場合は出力可能でない旨を通知する。
【００９１】
ステップＳ３０では、システムコントローラ８０Ｙは、蓄電装置１Ｘから出力可能の通知を受信したかを判定し、受信した場合はステップＳ３１へ進み、受信していない場合は本ルーチンを終了する。
【００９２】
ステップＳ３１では、システムコントローラ８０Ｙは、蓄電装置１Ｘに対して蓄電池４３Ｘに蓄電された電力の出力要求を行い、ステップＳ３２へ進む。
これに対して、蓄電装置１Ｘのシステムコントローラ８０Ｘは、切換スイッチ５１Ｘを端子ｈに切り換え、スイッチ６１Ｘをオンにする制御を行う。これにより、蓄電池４３Ｘに蓄電された電力は、切換スイッチ５１Ｘ、スイッチ６１Ｘを経由して、蓄電装置１Ｙへ出力される。
【００９３】
ステップＳ３２では、システムコントローラ８０Ｙは、蓄電装置１Ｘの蓄電池４３Ｘの電力が外部入力端子１２Ｙに入力されると、可能な限り優先入力の電力を出力しつつ２つの蓄電池の電力を合成して直流負荷装置１１１に出力するように制御する。
【００９４】
システムコントローラ８０Ｙは、蓄電池４３Ｘ，４３Ｙからの電力を合成して直流負荷装置１１１へ出力するように制御する。具体的には、システムコントローラ８０Ｙは、切換スイッチ３１Ｙを端子ｅに切り換え、分岐スイッチ３２２Ｙを端子ｄに切り換え、切換スイッチ５１Ｙを端子ｈに切り換え、スイッチ６１Ｙをオンにする制御を行う。
【００９５】
これにより、蓄電装置１Ｘから外部入力端子１２Ｙに入力された電力は、切換スイッチ３１Ｙ、分岐スイッチ３２２Ｙ、ＤＣ−ＤＣコンバータ４１Ｙを経由して、切換スイッチ５１Ｙの端子ｈに供給される。さらに、蓄電池４３Ｙからの電力が切換スイッチ５１Ｙの端子ｈに供給される。よって、切換スイッチ５１Ｙの端子ｈでは蓄電池４３Ｘ及び蓄電池４３Ｙからの各電力が合成されており、この合成された電力がスイッチ６１Ｙ、外部出力端子７１Ｙを経由して、直流負荷装置１１１へ出力される。
【００９６】
（その他の制御）
なお、システムコントローラ８０Ｙは、蓄電装置１Ｙの蓄電量が不足している場合であって、外部入力端子１２Ｙに入力される電圧が直流負荷装置１１１へ出力すべき電圧と同じであると既定されているとき、又は、電圧検出器２２で検出された電圧が直流負荷装置１１１へ出力すべき電圧と同じであるときは、蓄電装置１Ｘの蓄電電力のみを出力するために、次の制御を行う。
【００９７】
システムコントローラ８０Ｙは、切換スイッチ３１Ｙを端子ｅに切り換え、分岐スイッチ３２１Ｙを端子ｂに切り換え、切換スイッチ５１Ｙを端子ｇに切り換え、スイッチ６１Ｙをオンにする制御を行う。これにより、蓄電装置１Ｘから外部入力端子１２Ｙに入力された電力は、そのまま直流負荷装置１１１へ出力される。そして、本ルーチンが終了する。
【００９８】
以上のように、蓄電装置１Ｙは、直流負荷装置１１１に出力すべき電力に優先順位をつけ、優先順位の高い電力から順に、具体的には、太陽電池１０３からの電力、蓄電装置１Ｘを経由した太陽電池１０１からの電力、商業電源１０２からの電力の順に、直流負荷装置１１１に電力を出力することができる。これにより、蓄電装置１Ｙは、できる限りコストをかけることなく、かつ、できる限り電力の伝送損失・変換損失を抑制しながら、直流負荷装置１１１に電力を出力することができる。
【００９９】
また、蓄電装置１Ｙは、上記電力を使用できない場合は、蓄電池４３Ｙの電力を直流負荷装置１１１へ出力する。さらに、蓄電装置１Ｙは、蓄電池４３Ｙの電力だけでは直流負荷装置１１１を駆動できない場合は、蓄電装置１Ｘに対して非蓄電電力又は蓄電池４３Ｘの電力の出力要求を行う。そして、蓄電装置１Ｙは、蓄電池４３Ｙの電力と、非蓄電電力又は蓄電池４３Ｘの電力を、合成して出力することもでき、所定のタイミングで切り換えて出力することもできる。これにより、蓄電装置１Ｙは、蓄電された電力の消費をできる限り抑制したり、直流負荷装置１１１へ電力を長時間出力したりすることができる。
【０１００】
（２−５．交流負荷装置への出力）
図８は、基本接続された蓄電装置１Ｘ，１Ｙの交流負荷装置への出力時における機能的な構成を示すブロック図である。図８では、図１に示された構成のうち主に機能するブロックのみ示されている。
【０１０１】
（２−５−１．システムコントローラ８０Ｘの制御：非蓄電電力の出力要求がある場合）
蓄電装置１Ｘのシステムコントローラ８０Ｘは、交流負荷装置への出力時において蓄電装置１Ｙから非蓄電電力の出力要求がある場合は、次のように制御する。
【０１０２】
システムコントローラ８０Ｘは、優先入力である外部入力端子１１Ｘに所定値以上の電力が入力されているときは、外部入力端子１１Ｘに入力される電力を蓄電装置１Ｙへ出力するように制御する。また、システムコントローラ８０Ｘは、優先入力である外部入力端子１１Ｘに所定値以上の電力が入力されていないときは、外部入力端子１３Ｘに入力される商用電源の交流電力をそのまま蓄電装置１Ｙへ出力するように制御する。
【０１０３】
（２−５−２．システムコントローラ８０Ｘの制御：蓄電電力の出力要求がある場合）
蓄電装置１Ｘのシステムコントローラ８０Ｘは、交流負荷装置への出力時において蓄電装置１Ｙから蓄電電力の出力要求がある場合は、次のように制御する。
【０１０４】
システムコントローラ８０Ｘは、切換スイッチ５１Ｘを端子ｈに切り換え、スイッチ６２Ｘ，６４Ｘをオンにする制御を行う。これにより、蓄電池４３Ｘに蓄電された電力は、切換スイッチ５１Ｘ、スイッチ６２Ｘを経由して、ＤＣ−ＡＣインバータ６３Ｘで交流に変換され、更に、スイッチ６４Ｘ、外部出力端子７２Ｘを経由して、蓄電装置１Ｙへ出力される。
【０１０５】
（２−５−３．システムコントローラ８０Ｙの制御）
蓄電装置１Ｙのシステムコントローラ８０Ｙは、交流負荷装置１１２への出力時においては、次のように制御する。
【０１０６】
図９は、基本接続された蓄電装置１Ｙのシステムコントローラ８０Ｙによる交流負荷装置への出力動作ルーチンを示すフローチャートである。図９に示すフローチャートは、図７のステップＳ２２，Ｓ２６，Ｓ２８，Ｓ３２をステップＳ２２ａ，Ｓ２６ａ，Ｓ２８ａ，Ｓ３２ａに変更した点を除くと、図７と同じ流れである。このため、図７と相違するステップのみ説明する。
【０１０７】
ステップＳ２２ａでは、システムコントローラ８０Ｙは、優先入力である外部入力端子１１Ｙからの電力を交流負荷装置１１２へ出力するように制御し、本ルーチンを終了する。
【０１０８】
（電圧の昇圧又は降圧が不要な場合）
ここでは、システムコントローラ８０Ｙは、外部入力端子１１Ｙに入力される電圧がＤＣ−ＡＣインバータ６３Ｙに入力すべき電圧とほぼ同じと既定されている場合、又は電圧検出器２１により検出された電圧値がＤＣ−ＡＣインバータ６３Ｙに入力すべき電圧とほぼ同じ場合、分岐スイッチ３２１Ｙを端子ａに切り換え、切換スイッチ５１Ｙを端子ｇに切り換え、スイッチ６２Ｙ，６４Ｙをオンにする制御を行う。これにより、太陽電池１０３から外部入力端子１１Ｙに入力された電力は、分岐スイッチ３２１Ｙ、切換スイッチ５１Ｙ、スイッチ６２Ｙを経由して、ＤＣ−ＡＣインバータ６３Ｙで交流に変換され、更に、スイッチ６４Ｙ、外部出力端子７１Ｙを経由して、交流負荷装置１１２へ出力される。
【０１０９】
（電圧の昇圧又は降圧が必要な場合）
システムコントローラ８０Ｙは、外部入力端子１１Ｙに入力される電圧を必ずＤＣ−ＤＣコンバータを経由させることが既定されている場合、又は電圧検出器２１により検出された電圧値がＤＣ−ＡＣインバータ６３Ｙに入力すべき電圧と異なる場合（電圧の昇圧又は降圧が必要な場合）は、分岐スイッチ３２２Ｙを端子ｃに切り換え、切換スイッチ５１を端子ｈに切り換え、スイッチ６２Ｙ，６４Ｙをオンにする制御を行う。これにより、外部入力端子１１Ｙに入力された電力は、分岐スイッチ３２２Ｙを経由し、出力すべき電圧になるようにＤＣ−ＤＣコンバータ４１Ｙで電圧の昇圧又は降圧が行われ、切換スイッチ５１Ｙ、スイッチ６２Ｙ、ＤＣ−ＡＣインバータ６３Ｙ、スイッチ６４Ｙ、外部出力端子７２Ｙを経由して、交流負荷装置１１２へ出力される。
【０１１０】
（太陽電池の電力の有効利用）
ところで、外部入力端子１１Ｙから入力される電力は、太陽電池で発電されたものであり、一時的に又は連続的に直流負荷装置１１１を駆動するのに十分でない場合がある。このような場合、システムコントローラ８０Ｙは、上述した「電圧の昇圧又は降圧が必要な場合」と同様の制御を行うことによって、優先入力（太陽電池）の電力を使用しつつ不足分については蓄電池を使用できる。
【０１１１】
また、ステップＳ２６ａでは、システムコントローラ８０Ｙは、蓄電装置１Ｘからの非蓄電電力が外部入力端子１２Ｙ又は外部入力端子１３Ｙに入力されると、その電力を交流負荷装置１１２へ出力するように制御する。
【０１１２】
（電圧の昇圧又は降圧が不要な場合）
具体的には、システムコントローラ８０Ｙは、外部入力端子１２Ｙに電力が入力された場合であって、外部入力端子１２Ｙに入力される電圧がＤＣ−ＡＣインバータ６３Ｙに入力すべき電圧とほぼ同じと既定されている場合、又は電圧検出器２２Ｙの電圧値がＤＣ−ＡＣインバータ６３Ｙに入力すべき電圧値とほぼ同じときは、切換スイッチ３１Ｙを端子ｅに切り換え、分岐スイッチ３２１Ｙを端子ｂに切り換え、切換スイッチ５１Ｙを端子ｇに切り換え、スイッチ６２Ｙ，６４Ｙをオンにする制御を行う。これにより、蓄電装置１Ｘから外部入力端子１２Ｙに入力された電力は、切換スイッチ３１Ｙ、分岐スイッチ３２１Ｙ、切換スイッチ５１Ｙ、スイッチ６２Ｙを経由して、ＤＣ−ＡＣインバータ６３Ｙで交流に変換され、更に、スイッチ６４Ｙ、外部出力端子７２Ｙを経由して、交流負荷装置１１２へ出力される。
【０１１３】
（電圧の昇圧又は降圧が必要な場合）
また、システムコントローラ８０Ｙは、外部入力端子１２Ｙに電力が入力された場合であって、外部入力端子１２Ｙに入力される電圧を必ずＤＣ−ＤＣコンバータを経由させることが既定されている場合、又は電圧検出器２２Ｙの電圧値がＤＣ−ＡＣインバータ６３に入力すべき電圧と同じでない（電圧の昇圧又は降圧が必要な）ときは、切換スイッチ３１Ｙを端子ｅに切り換え、分岐スイッチ３２２Ｙを端子ｄに切り換え、切換スイッチ５１Ｙを端子ｈに切り換え、スイッチ６２Ｙ，６４Ｙをオンにする制御を行う。これにより、外部入力端子１２Ｙに入力された電力は、切換スイッチ３１Ｙ、分岐スイッチ３２２Ｙを経由して、ＤＣ−ＤＣコンバータ４１Ｙで電圧の昇圧又は降圧が行われ、切換スイッチ５１Ｙ、スイッチ６２Ｙ、ＤＣ−ＡＣインバータ６３Ｙ、スイッチ６４Ｙ、外部出力端子７２Ｙを経由して、交流負荷装置１１２へ出力される。
【０１１４】
また、システムコントローラ８０Ｙは、外部入力端子１３Ｙに電力が入力された場合、スイッチ６５Ｙをオンにする制御を行う。これにより、蓄電装置１Ｘから外部入力端子１３Ｙに入力された交流電力は、スイッチ６５Ｙ、外部出力端子７２Ｙを経由して、そのまま交流負荷装置１１２に出力される。そして、本ルーチンが終了する。
【０１１５】
ステップＳ２８ａでは、システムコントローラ８０Ｙは、蓄電池４３Ｙの電力を交流負荷装置１１２に出力するように制御する。具体的には、システムコントローラ８０Ｙは、切換スイッチ５１Ｙを端子ｈに切り換え、スイッチ６２Ｙ，６４Ｙをオンにする制御を行う。これにより、蓄電池４３Ｙに蓄電された電力は、切換スイッチ５１Ｙ、スイッチ６２Ｙを経由して、ＤＣ−ＡＣインバータ６３Ｙで交流に変換され、更に、スイッチ６４Ｙ、外部出力端子７２Ｙを経由して、交流負荷装置１１２へ出力される。
【０１１６】
ここで、太陽電池１０３から外部入力端子１１Ｙに入力される電力は、所定値以上でない（ステップＳ２１で否定判定された）ため、利用されていない。しかし、この電力は、発電コストのかからないエネルギーであるため、できる限り利用したいとの要望もある。そこで、システムコントローラ８０Ｙは、上述した制御に加えて、分岐スイッチ３２２Ｙを端子ｃに切り換えてもよい。これにより、外部入力端子１１Ｙに入力された電力は、分岐スイッチ３２２Ｙ、ＤＣ−ＤＣコンバータ４１Ｙを経由して、蓄電池４３Ｙの電力と合成されて切換スイッチ５１Ｙに供給される。合成された電力は、スイッチ６２Ｙを経由して、ＤＣ−ＡＣインバータ６３Ｙで交流に変換され、外部出力端子７２Ｙを介して交流負荷装置１１２へ出力される。
【０１１７】
また、システムコントローラ８０Ｙは、蓄電池４３Ｙの蓄電量が所定値以上である（ステップＳ２７で肯定判定された）が、蓄電装置１Ｘに蓄電池４３Ｘの電力の出力要求を行ってもよい。このとき、システムコントローラ８０Ｙは、最初は蓄電池４３Ｙの電力を出力して次に蓄電池４３Ｘの電力に切り換えて交流負荷装置１１２へ出力する制御を行ってもよいし（切換え出力）、２つの蓄電池４３Ｘ，４３Ｙからの電力を合成して交流負荷装置１１２へ出力してもよい（合成出力）。なお、切換え出力及び合成出力の制御は、上述したステップＳ２８と同様である。そして、本ルーチンが終了する。
【０１１８】
ステップＳ３２ａでは、システムコントローラ８０Ｙは、蓄電装置１Ｘからの蓄電池４３Ｘに基づく交流電力が外部入力端子１３Ｙに入力されると、可能な限り優先入力の電力を出力しつつ２つの蓄電池の電力を合成して交流負荷装置１１２に出力するように制御する。
【０１１９】
システムコントローラ８０Ｙは、外部入力端子１３Ｙに入力された交流電力と、蓄電池４３Ｙ及びＤＣ−ＡＣインバータ６３Ｙに基づく交流電力と、を合成して交流負荷装置１１２へ出力するように制御する。
【０１２０】
具体的には、システムコントローラ８０Ｙは、切換スイッチ５１Ｙを端子ｈに切り換え、スイッチ６２Ｙ，６４Ｙ，６５Ｙをオンにする制御を行う。さらに、２つ交流電力の位相を合わせるために、ＤＣ−ＡＣインバータ６３Ｘ、６３Ｙの同期をとる必要がある。そこで、システムコントローラ８０Ｙは、ＤＣ−ＡＣインバータ６３Ｙを駆動させると共に、２つの蓄電装置１Ｘ、１Ｙが同一の位相で交流電力を発生させるための同期信号を、通信線を介して蓄電装置１Ｘのシステムコントローラ８０Ｘに送信する。
【０１２１】
蓄電装置１Ｘのシステムコントローラ８０Ｘは、蓄電装置１Ｙからの同期信号に基づいてＤＣ−ＡＣインバータ６３Ｘを駆動させることで、蓄電池４３Ｘに基づく直流電力を交流電力に変換して外部へ出力する。
【０１２２】
これにより、蓄電池４３Ｙの電力は、切換スイッチ５１Ｙ、スイッチ６２Ｙを経由してＤＣ−ＡＣインバータ６３Ｙで交流に変換され、更に、スイッチ６４Ｙを介して外部出力端子７２Ｙに供給される。また、外部入力端子１３Ｙに入力された交流電力は、スイッチ６５Ｙを介して外部出力端子７２Ｙに供給される。外部出力端子７２Ｙでは２つの位相の合った交流電力が合成され、合成された交流電力は交流負荷装置１１２へ出力される。
【０１２３】
（その他の制御）
なお、システムコントローラ８０Ｙは、蓄電装置１Ｙの蓄電量が不足している場合は、蓄電装置１Ｘの蓄電電力をのみを出力するために、スイッチ６４Ｙをオフにする制御を行う。これにより、外部入力端子１３Ｙに入力された交流電力は、そのまま交流負荷装置１１２へ出力される。そして、本ルーチンが終了する。
【０１２４】
以上のように、蓄電装置１Ｙは、交流負荷装置１１２に出力すべき電力に優先順位をつけ、優先順位の高い電力から順に、交流負荷装置１１２に電力を出力することができる。また、蓄電装置１Ｙは、外部からの電力を使用できない場合は、蓄電池４３Ｙに基づく交流電力を交流負荷装置１１２へ出力する。
【０１２５】
さらに、蓄電装置１Ｙは、蓄電池４３Ｙに基づく交流電力だけでは交流負荷装置１１２を駆動するのに十分でない場合は、蓄電装置１Ｘに対して、蓄電池４３Ｘに基づく交流電力の出力要求を行うと共に、蓄電池４３Ｙ及びＤＣ−ＡＣインバータ６３Ｙに基づく交流電力の位相と対応するように、蓄電装置１Ｘに対して同期信号を出力する。
【０１２６】
この結果、蓄電装置１Ｙは、蓄電池４３Ｘ，４３Ｙに基づく交流電力の位相を対応させて合成し、合成された電力を交流負荷装置１１２へ出力する。これにより、蓄電装置１Ｙは、蓄電された電力の消費をできる限り抑制したり、交流負荷装置１１２へ電力を長時間出力したり、蓄電装置単体では駆動できない負荷も駆動できるようになる。
【０１２７】
［３．蓄電装置のループ接続（並列接続）］
図１０は、２台の蓄電装置のループ接続を示す図である。
（３−１．接続関係）
蓄電装置１Ｘの外部入力端子１１Ｘは、太陽電池１０１に接続されている。外部入力端子１２Ｘは、蓄電装置１Ｙの外部出力端子７１Ｙに接続されている。外部入力端子１３Ｘは、交流１００Ｖの商用電源１０２に接続されている。外部出力端子７１Ｘは、蓄電装置１Ｙの外部入力端子１２Ｙに接続されている。外部出力端子７２Ｘは、交流負荷装置１０５に接続されている。
【０１２８】
蓄電装置１Ｙの外部入力端子１１Ｙは、太陽電池１０３に接続されている。外部入力端子１３Ｙは、交流１００Ｖの商用電源１０４に接続されている。外部出力端子７２Ｙは、交流負荷装置１１２に接続されている。また、システムコントローラ８０Ｘ，８０Ｙは、互いに通信可能である。
【０１２９】
（３−２．リンクの確立）
つぎに、蓄電装置１Ｘと蓄電装置１Ｙが通信可能になるためのリンク確立動作について説明する。蓄電装置１Ｘのキー入力部８１Ｘに所定の操作が行われると、蓄電装置１Ｘと蓄電装置１Ｙのリンクが確立される。これにより、蓄電装置１Ｙは、蓄電装置１Ｘに対して、電力の入力状態、蓄電池の蓄電状態を確認するための問い合わせ、電力の出力要求が可能になる。同様に、蓄電装置１Ｙのキー入力部８１Ｙに所定の操作が行われると、蓄電装置１Ｘと蓄電装置１Ｙのリンクが確立される。
【０１３０】
これにより、蓄電装置１Ｘは、蓄電装置１Ｙに対して、電力の入力状態、蓄電池の蓄電状態を確認するための問い合わせ、電力の出力要求が可能になる。なお、蓄電装置１Ｘから蓄電装置１Ｙへのリンク確立動作の後、蓄電装置１Ｙから蓄電装置１Ｘへのリンク確立動作が自動的に起動してもよい。
【０１３１】
（３−３．蓄電）
図１１は、ループ接続された蓄電装置１Ｘ，１Ｙの蓄電時における機能的な構成を示すブロック図である。図１１では、図１に示された構成のうち主に機能するブロックのみ示されている。
【０１３２】
蓄電装置１Ｘは、太陽電池１０１（優先入力）から所定値以上の電力が入力されている場合はその電力を蓄電する。蓄電装置１Ｘは、太陽電池１０１からの電力が所定値以上でない場合において、蓄電装置１Ｙが太陽電池１０３の電力を出力可能であれば、蓄電装置１Ｙからの当該電力を蓄電し、蓄電装置１Ｙが太陽電池１０３の電力を出力できないのであれば、商用電源１０２からの電力を蓄電する。同様に、蓄電装置１Ｙは、太陽電池１０３（優先入力）から所定値以上の電力が入力されている場合はその電力を蓄電する。蓄電装置１Ｙは、太陽電池１０３からの電力が所定値以上でない場合において、蓄電装置１Ｘが太陽電池１０１の電力を出力可能であれば、蓄電装置１Ｘからの当該電力を蓄電し、蓄電装置１Ｘが太陽電池１０１の電力を出力できないのであれば、商用電源１０４からの電力を蓄電する。
【０１３３】
後段側蓄電装置１Ｙのシステムコントローラ８０Ｙは、蓄電時においては、次のように制御する。
図１２は、ループ接続された蓄電装置１Ｙのシステムコントローラ８０Ｙによる蓄電動作ルーチンを示すフローチャートである。
【０１３４】
ステップＳ４１では、システムコントローラ８０Ｙは、優先入力である外部入力端子１１Ｙから所定値以上の電力が入力されているかを判定し、所定値以上の電力が入力されている場合はステップＳ４２へ進み、所定値以上の電力が入力されていない場合はステップＳ４３へ進む。
【０１３５】
ステップＳ４２では、システムコントローラ８０Ｙは、優先入力である外部入力端子１１Ｙからの電力を蓄電池４３Ｙに蓄電するように制御し、本ルーチンを終了する。ここでは、システムコントローラ８０Ｙは、分岐スイッチ３２２Ｙを端子ｃに切り換える制御を行う。これにより、太陽電池１０３から外部入力端子１１Ｙに入力された電力は、分岐スイッチ３２２Ｙ、ＤＣ−ＤＣコンバータ４１Ｙを経由して、蓄電池４３Ｙに蓄電される。
【０１３６】
ステップＳ４３では、システムコントローラ８０Ｙは、前段側蓄電装置１Ｘに対して、通信線を経由して、優先入力の電力を出力可能であるか問い合わせをして、ステップＳ４４へ進む。
【０１３７】
一方、前段側蓄電装置１Ｘのシステムコントローラ８０Ｘは、後段側蓄電装置１Ｙからの問い合わせに対して、優先入力である外部入力端子１１Ｘに所定値以上の電力が入力され蓄電池４３Ｘの蓄電量が所定以上の場合は出力可能である旨を通知し、外部入力端子１１Ｘに所定値以上の電力が入力されていない場合又は蓄電池４３Ｘの蓄電量が所定値以上でない場合は出力可能でない旨を通知する。
【０１３８】
ステップＳ４４では、システムコントローラ８０Ｙは、前段側蓄電装置１Ｘから出力可能の通知を受信したかを判定し、受信した場合はステップＳ４５へ進み、受信していない場合はステップＳ４７へ進む。
【０１３９】
ステップＳ４５では、システムコントローラ８０Ｙは、前段側蓄電装置１Ｘに対して、優先入力の電力の出力要求を行い、ステップＳ４６へ進む。これに対して、前段側蓄電装置１Ｘのシステムコントローラ８０Ｘは、優先入力である外部入力端子１１Ｘに入力される電力を後段側蓄電装置１Ｙへ出力するように制御する。
【０１４０】
ステップＳ４６では、システムコントローラ８０Ｙは、前段側蓄電装置１Ｘの優先入力からの電力が外部入力端子１２Ｙに入力されると、その電力を蓄電池４３Ｙに蓄電するように制御する。具体的には、システムコントローラ８０Ｙは、切換スイッチ３１Ｙを端子ｅに切り換え、分岐スイッチ３２２Ｙを端子ｄに切り換える制御を行う。これにより、前段側蓄電装置１Ｘから外部入力端子１２Ｙに入力された電力は、切換スイッチ３１Ｙ、分岐スイッチ３２２Ｙ、ＤＣ−ＤＣコンバータ４１Ｙを経由して、蓄電池４３Ｙに蓄電される。そして、本ルーチンが終了する。
【０１４１】
ステップＳ４７では、システムコントローラ８０Ｙは、商用電源１０４からの電力を蓄電池４３Ｙに蓄電するように制御する。具体的には、システムコントローラ８０Ｙは、切換スイッチ３１Ｙを端子ｆに切り換え、分岐スイッチ３２２Ｙを端子ｄに切り換える制御を行う。これにより、商用電源１０４から外部入力端子１３Ｙに入力された電力は、ＡＣ−ＤＣコンバータ２４Ｙ、切換スイッチ３１Ｙ、分岐スイッチ３２２Ｙ、ＤＣ−ＤＣコンバータ４１Ｙを経由して、蓄電池４３Ｙに蓄電される。そして、本ルーチンが終了する。
【０１４２】
以上のように、後段側蓄電装置１Ｙは、優先順位の高い順、すなわち、太陽電池１０３、太陽電池１０１、商用電源１０４からの順に電力を蓄電池４３Ｙに蓄電する。これにより、後段側蓄電装置１Ｙは、できる限りコストをかけず、電力伝送損失を抑制しながら、蓄電することができる。
【０１４３】
（３−４．交流負荷装置への出力）
図１３は、ループ接続された蓄電装置１Ｘ，１Ｙの交流負荷装置１１２への出力時における機能的な構成を示すブロック図である。図１３では、図１に示された構成のうち主に機能するブロックのみ示されている。
【０１４４】
蓄電装置１Ｙは、太陽電池１０３（優先入力）から所定値以上の電力が入力されている場合は、その電力を交流負荷装置１１２へ出力する。蓄電装置１Ｙは、太陽電池１０３（優先入力）から所定値以上の電力が入力されていない場合においては、蓄電装置１Ｘに対して太陽電池１０１から所定値以上の電力が入力され、出力可能かを問い合わせ、出力可能であるときは当該電力を出力するよう要求し、その後蓄電装置１Ｘから出力された電力を交流負荷装置１１２へ出力する。
【０１４５】
蓄電装置１Ｙは、太陽電池１０３（優先入力）から所定値以上の電力が入力されてなく、蓄電装置１Ｘが電力を出力可能でない場合において、商用電源１０４からの電力が入力されているときは、その電力を交流負荷装置１１２へ出力し、商用電源１０４からの電力が入力されていないときは、蓄電池４３Ｙに蓄積されている電力を交流負荷装置１１２へ出力する。具体的には、蓄電装置１Ｙのシステムコントローラ８０Ｙは、次の制御を行う。
【０１４６】
蓄電装置１Ｙのシステムコントローラ８０Ｙは、交流負荷装置１１２への出力時においては、次のように制御する。
【０１４７】
図１４は、ループ接続された蓄電装置１Ｙのシステムコントローラ８０Ｙによる交流負荷装置１１２への出力動作ルーチンを示すフローチャートである。
ステップＳ５１では、システムコントローラ８０Ｙは、優先入力である外部入力端子１１Ｙから所定値以上の電力が入力されているかを判定し、所定値以上の電力が入力されている場合はステップＳ５２へ進み、所定値以上の電力が入力されていない場合はステップＳ５３へ進む。
【０１４８】
ステップＳ５２では、システムコントローラ８０Ｙは、優先入力である外部入力端子１１Ｙからの電力を交流負荷装置１１２へ出力するように制御し、本ルーチンを終了する。ここでは、システムコントローラ８０Ｙは、上述したステップＳ２２ａと同様の制御を行う。
【０１４９】
ステップＳ５３では、システムコントローラ８０Ｙは、前段側蓄電装置１Ｘに対して、通信線を経由して、非蓄電電力（非商用電源の電力）を出力可能であるか問い合わせをして、ステップＳ５４へ進む。
【０１５０】
一方、前段側蓄電装置１Ｘのシステムコントローラ８０Ｘは、後段側蓄電装置１Ｙからの問い合わせに対して、外部入力端子１１Ｘに所定値以上の電力が入力されている場合は出力可能である旨を通知し、所定値以上の電力が入力されていない場合は出力可能でない旨を通知する。
【０１５１】
ステップＳ５４では、システムコントローラ８０Ｙは、前段側蓄電装置１Ｘから出力可能の通知を受信したかを判定し、受信した場合はステップＳ５５へ進み、受信していない場合はステップＳ５７へ進む。
ステップＳ５５では、システムコントローラ８０Ｙは、前段側蓄電装置１Ｘに対して、非蓄電電力の出力要求を行い、ステップＳ５６へ進む。
【０１５２】
これに対して、前段側蓄電装置１Ｘのシステムコントローラ８０Ｘは、外部入力端子１１Ｘの電力を蓄電装置１Ｙへ出力するように制御する。  
【０１５３】
ステップＳ５６では、システムコントローラ８０Ｙは、前段側蓄電装置１Ｘからの非蓄電電力が外部入力端子１２Ｙに入力されると、その電力を交流負荷装置１１２へ出力するように制御する。ここでは、システムコントローラ８０Ｙは、上述したステップＳ２６ａと同様の制御を行う。これにより、前段側蓄電装置１Ｘから外部入力端子１２Ｙに入力された電力は、交流負荷装置１１２に出力される。そして、本ルーチンが終了する。
【０１５４】
また、ステップＳ５７では、システムコントローラ８０Ｙは、商用電源１０４からの電力が外部入力端子１３Ｙに入力されているかを判定し、入力されている場合はステップＳ５８へ進み、入力されていない場合はステップＳ５９へ進む。
【０１５５】
ステップＳ５８では、システムコントローラ８０Ｙは、スイッチ６５Ｙをオンに制御することで、商用電源１０４から外部入力端子１３Ｙに入力された電力を交流負荷装置１１２に出力するように制御する。そして、本ルーチンが終了する。
【０１５６】
一方、ステップＳ５９では、システムコントローラ８０Ｙは、蓄電池４３Ｙの電力を交流負荷装置１１２に出力するように、ステップＳ２８ａと同様に制御する。そして、本ルーチンが終了する。
【０１５７】
以上のように、後段側蓄電装置１Ｙは、優先順位の高い順、すなわち、太陽電池１０３、太陽電池１０１、商用電源１０４からの順に電力を交流負荷装置１１２へ出力し、これらの外部電源からの電力がない場合には、蓄電池４３Ｙの電力を交流負荷装置１１２へ出力する。これにより、後段側蓄電装置１Ｙは、できる限りコストをかけず、電力伝送損失を抑制し、蓄電池４３Ｙの蓄電量がなるべく減らないようにしながら、交流負荷装置１１２へ電力を出力することができる。
【０１５８】
［４．その他の態様］
なお、本発明は、上述した実施形態に限定されるものではなく、特許請求の範囲に記載された事項の範囲内で設計変更されたものにも適用可能である。
【０１５９】
例えば、上記実施形態では、優先入力に接続された外部電源として太陽電池を例に挙げたが、その他、各種発電機、バッテリー、ＡＣアダプターなどの電力を供給できる電力源であればよい。
【０１６０】
蓄電装置１は、直流入力が２系統、交流入力が１系統であるが、外部入力端子及び当該外部入力端子に接続された電力源の数を増やしてもよい。逆に、外部入力端子の数を減らして、蓄電装置１の回路構成を簡略化してもよい。特に、外部入力端子が１つであれば、入力選択回路は不要になり、コスト削減が可能になる。
【０１６１】
また、蓄電装置１は、直流出力及び交流出力が共に１系統であるが、外部出力端子の数を更に増やして、多数の負荷装置を接続可能にして、接続形態の自由度を上げてもよい。
【０１６２】
上述した実施形態では、２台の蓄電装置の基本接続（直列接続）、ループ接続を例示したが、接続形態はこれに限定されるものではない。例えば、３台以上の蓄電装置を用いて、１台の蓄電装置の入力側に２台以上の蓄電装置を接続する接続形態、１台の蓄電装置の出力側に２台以上の蓄電装置を接続する接続形態など、様々な接続形態が適用可能である。
【０１６３】
蓄電装置間で通信を行うための通信線は、イーサネット（登録商標）等の一般的なＬＡＮ（Local Area Network）の他、ＵＳＢ、無線ＬＡＮ、ブルートゥース（登録商標）などの相互に通信可能なものであればよい。また、上述の通信線の代わりに、蓄電装置の外部出力端子−外部入力端子間に通信信号を重畳させてもよい。また、蓄電装置を３台以上接続することを考慮して、蓄電装置にハブ機能を内蔵してもよい。さらに、蓄電装置の接続台数は、互いにＩＤ番号を識別可能であれば、特に制限されるものではない。
【０１６４】
また、外部入力端子からの電力をＤＣ−ＤＣコンバータを経由せずに外部へ出力する経路を省略して、蓄電装置の回路構成を簡略化することも可能である。さらに、複数の外部入力端子のそれぞれにＤＣ−ＤＣコンバータを接続し、同時に蓄電池に接続できるようにすることで、複数の外部入力端子からの電力を同時に蓄電し、又は外部へ出力するようにしてもよい。
【０１６５】
上述した実施形態では、蓄電装置は、太陽電池からの電力を最優先で使用し、蓄電池に蓄電された電力を最後に使用するように構成されているが、目的や状況に応じて、使用可能な電力の優先度を設定してもよい。すなわち、使用可能な電力の優先順位は、予め固定されていてもよいし、動的に設定可能であってもよい。
【符号の説明】
【０１６６】
１  蓄電装置
１１，１２，１３  外部入力端子
２４  ＡＣ−ＤＣコンバータ
３２，５１  切換スイッチ
４１  ＤＣ−ＤＣコンバータ
４３  蓄電池
６３  ＤＣ−ＡＣインバータ
７１，７２  外部出力端子
８０  システムコントローラ
【図１】
2013201816.tif 000003
【図２】
2013201816.tif 000004
【図３】
2013201816.tif 000005
【図４】
2013201816.tif 000006
【図５】
2013201816.tif 000007
【図６】
2013201816.tif 000008
【図７】
2013201816.tif 000009
【図８】
2013201816.tif 000010
【図９】
2013201816.tif 000011
【図１０】
2013201816.tif 000012
【図１１】
2013201816.tif 000013
【図１２】
2013201816.tif 000014
【図１３】
2013201816.tif 000015
【図１４】
2013201816.tif 000016